(57)【要約】      （修正有）【課題】簡単な作業で、精度良く用紙の画像形成位置の調整を行うことが可能な画像形成装置を提供する。【解決手段】用紙の両面に画像形成する際の画像形成位置の調整用に用いられる調整用原稿Ｓは、表面Ｓ１の周縁部に、当該表面Ｓ１における画像の位置を測定するための枠２１が形成され、裏面Ｓ２における枠２１と重ならない位置に、所定面積を有する塗り部３２が形成され、塗り部３２が背景となるように枠２１が形成された領域が折り込まれた状態で、画像読取部により枠２１及び塗り部３２が同時に読み取られる。【選択図】図４
2016024244.tif 000002
【特許請求の範囲】
【請求項１】
用紙の画像形成位置の調整用に用いられる調整用原稿であって、
第１の面の周縁部に、当該第１の面における画像の位置を測定するための基準画像が形成され、
第２の面の前記基準画像と重ならない位置に、所定面積を有する背景画像が形成され、
前記背景画像が背景となるように前記基準画像が形成された領域が折り込まれた状態で、画像読取部により前記基準画像及び前記背景画像が同時に読み取られることを特徴とする調整用原稿。
【請求項２】
前記第２の面には、折り位置を指定する折り位置指定画像が形成され、
前記折り位置指定画像で指定された位置で折ることで、前記前記基準画像が形成された領域のエッジ部が前記背景画像に重なることを特徴とする請求項１に記載の調整用原稿。
【請求項３】
前記折り位置指定画像は、折り線、折り込まれる領域のエッジを合わせるための目印、又は前記第２の画像の内部に設けられた目印であることを特徴とする請求項２に記載の調整用原稿。
【請求項４】
前記第２の面の周縁部に、当該第２の面における画像の位置を測定するための第２基準画像が形成され、
前記第１の面の前記第２基準画像と重ならない位置に、所定面積を有する第２背景画像が形成され、
前記第２背景画像が背景となるように前記第２基準画像が形成された領域が折り込まれた状態で、前記画像読取部により前記第２基準画像及び前記第２背景画像が同時に読み取られることを特徴とする請求項１〜３の何れか一項に記載の調整用原稿。
【請求項５】
前記背景画像と前記第２背景画像とは、形状、階調、色彩の何れかが異なる画像であることを特徴とする請求項４に記載の調整用原稿。
【請求項６】
前記基準画像と前記第２基準画像とは、形状が異なる画像であることを特徴とする請求項４又は５に記載の調整用原稿。
【請求項７】
請求項１〜６の何れか一項に記載の調整用原稿を作成するための調整用画像データを記憶する記憶部と、
前記調整用画像データに基づいて、用紙に調整用画像を形成する画像形成部と、
前記調整用画像の形成された前記調整用原稿を読み取る画像読取部と、
前記画像読取部により得られた画像データに基づいて、用紙の画像形成位置を補正する補正値を算出する制御部と、
を備え、
前記画像読取部は、
前記背景画像が背景となるように前記基準画像の形成された領域が折り込まれた状態で、前記調整用原稿から前記基準画像及び前記背景画像を同時に読み取ることを特徴とする画像形成装置。
【請求項８】
前記記憶部には、異なる複数の調整用画像データが記憶され、
前記制御部は、過去の画像形成における塗り領域の面積の大きさに基づいて、前記調整用原稿を作成するための調整用画像データを選択することを特徴とする請求項７に記載の画像形成装置。
【請求項９】
請求項１〜６の何れか一項に記載の調整用原稿を出力する出力工程と、
前記出力工程により出力された前記調整用原稿が折り込まれた状態において、当該調整用原稿を読み取る読み取り工程と、
前記読み取り工程により得られた画像データに基づいて、用紙の画像形成位置を補正する補正値を算出する算出工程と、
を有することを特徴とする画像形成位置の調整方法。
【発明の詳細な説明】
【技術分野】
【０００１】
本発明は、調整用原稿、画像形成装置、及び画像形成位置の調整方法に関する。
【背景技術】
【０００２】
従来、用紙の両面に画像を形成する両面画像形成処理の機能を備えたプリンター、複写機、複合機等の画像形成装置が普及している。
一般に、両面画像形成処理においては、用紙の表裏の画像形成位置が同じになるよう制御していても、実際には、最初の一面に画像形成する際に、作像、転写、定着工程により用紙が収縮することに起因して、表裏の画像形成位置がずれることが知られている。
そのため、次の一面に画像形成する際には、予め設定した補正量を用いて画像形成位置を補正するのが通常である。
【０００３】
補正値の算出方法としては、表裏の四隅に基準となるマークを形成した用紙（基準チャート）を用い、基準チャートの表裏を画像読取手段により読み取って、表裏それぞれのエッジからマークまでの距離を算出し、そのずれ量から補正量を求める手法が提案されている（例えば、特許文献１参照）。
【先行技術文献】
【特許文献】
【０００４】
【特許文献１】特許第４４３８９４３号公報
【発明の概要】
【発明が解決しようとする課題】
【０００５】
しかしながら、上記特許文献１の手法では、精度良くエッジからマークまでの距離を算出するために、基準チャートに対して濃度差を有し且つ当該基準チャートよりも大きなサイズの用紙（補助部材）を背面にあてがって基準チャートを読み取ることで、基準チャートのエッジを強調している。
このため、補正量の算出にあたって、基準チャート以外にも補助部材を別途準備しなくてはならず、作業が煩雑なものであった。
【０００６】
本発明の課題は、簡単な作業で、精度良く用紙の画像形成位置の調整を行うことを可能とする調整用原稿、画像形成装置、及び画像形成位置の調整方法を提供することである。
【課題を解決するための手段】
【０００７】
上記課題を解決するため、
本発明の一の態様によれば、
用紙の画像形成位置の調整用に用いられる調整用原稿であって、
第１の面の周縁部に、当該第１の面における画像の位置を測定するための基準画像が形成され、
第２の面の前記基準画像と重ならない位置に、所定面積を有する背景画像が形成され、
前記背景画像が背景となるように前記基準画像が形成された領域が折り込まれた状態で、画像読取部により前記基準画像及び前記背景画像が同時に読み取られることを特徴とする。
【０００８】
また、本発明の他の態様によれば、
画像形成装置であって、
上記調整用原稿を作成するための調整用画像データを記憶する記憶部と、
前記調整用画像データに基づいて、用紙に調整用画像を形成する画像形成部と、
前記調整用画像の形成された前記調整用原稿を読み取る画像読取部と、
前記画像読取部により得られた画像データに基づいて、用紙の画像形成位置を補正する補正値を算出する制御部と、
を備え、
前記画像読取部は、
前記背景画像が背景となるように前記基準画像の形成された領域が折り込まれた状態で、前記調整用原稿から前記基準画像及び前記背景画像を同時に読み取ることを特徴とする。
【０００９】
また、本発明の他の態様によれば、
画像形成位置の調整方法であって、
上記調整用原稿を出力する出力工程と、
前記出力工程により出力された前記調整用原稿が折り込まれた状態において、当該調整用原稿を読み取る読み取り工程と、
前記読み取り工程により得られた画像データに基づいて、用紙の画像形成位置を補正する補正値を算出する算出工程と、
を有することを特徴とする。
【発明の効果】
【００１０】
本発明によれば、簡単な作業で、精度良く用紙の画像形成位置の調整を行うことが可能となる。
【図面の簡単な説明】
【００１１】
【図１】本発明の実施の形態に係る画像形成装置を示す全体構成図である。
【図２】図１の画像形成装置の制御構成を示すブロック図である。
【図３】画像形成位置の調整処理の流れを示すフローチャートである。
【図４】（ａ）は、調整用原稿の表面を示す一例であって、（ｂ）は、調整用原稿の裏面を示す一例である。
【図５】（ａ）は、調整用原稿を折り込んだ状態を示す一例であって、（ｂ）は、（ａ）の調整用原稿の読取時の状態を示す一例であって、（ｃ）は、読み取られたデータを示す一例である。
【図６】（ａ）は、調整用原稿を反対に折り込んだ状態を示す一例であって、（ｂ）は、（ａ）の調整用原稿の読取時の状態を示す一例であって、（ｃ）は、読み取られたデータを示す一例である。
【図７】調整用原稿の変形例を示す図である。
【図８】調整用原稿の変形例を示す図である。
【図９】調整用原稿の変形例を示す図である。
【発明を実施するための形態】
【００１２】
以下、本発明の実施形態について図面を参照して説明する。ただし、発明の範囲は、図示例に限定されない。
【００１３】
図１は、本発明の実施の形態に係る画像形成装置１００を示す全体構成図である。また、図２は、画像形成装置１００の制御構成を示すブロック図である。
図１、２に示すように、画像形成装置１００は、画像読取部１、画像処理部２、画像書込部３、画像形成部４、給紙カセット５、給紙部６、定着部７、排紙部８、反転部９、操作表示部１０、記憶部１１、外部ＩＦ（Inter Face）部１２、及び制御部１３等を具備している。
【００１４】
画像読取部１は、ＡＤＦ（Auto Document Feeder）部１ａとスキャナー部１ｂとを備えている。
ＡＤＦ部１Ａは、原稿トレイＴに載置された原稿を読取個所であるプラテンガラスＰＧに搬送する。
スキャナー部１ｂは、制御部１３からの読取指示に従って、所定の光学系により、プラテンガラスＰＧの読取箇所に搬送又は載置された原稿の画像を光学像として読み取り、読み取られた光学像をＣＣＤ（Charge Coupled Device）イメージセンサーにより光電変換する。
【００１５】
画像処理部２は、ＣＣＤイメージセンサーにより光電変換されたアナログ信号に対し、アナログ処理、Ａ／Ｄ変換、シェーディング補正、画像圧縮処理等を行った後、画像信号を画像書込部３に送る。
【００１６】
画像書込部３は、取得した画像信号に基づいて、半導体レーザーにより画像形成部４の感光体ドラム４ａに出力光を照射し、感光体ドラム４ａの表面上に静電潜像を形成する。
【００１７】
画像形成部４は、感光体ドラム４ａ上に形成された潜像に、現像処理を施し、トナー像を形成する。画像形成部４は、転写部４ｂにより、給紙カセット５から給紙部６により給送された用紙Ｐを感光体ドラム４ａに押し付け、用紙Ｐ上にトナー像を転写する。トナー像が転写された用紙Ｐは、定着部７に搬送される。
【００１８】
定着部７は、画像形成部４によりトナー像が転写された用紙Ｐに対し熱と圧力を加えて定着処理を施し、これにより用紙Ｐ上に画像を形成する。画像形成がなされた用紙Ｐは、排紙部８から排出される。
【００１９】
用紙Ｐに対して両面に画像形成を行う場合には、定着部７を通過して一方の面（表面、第１の面）に画像が形成された用紙Ｐが搬送路切り替え板８ａにより反転部９に搬送され、用紙Ｐの表裏が反転された後に、再び画像形成部４及び定着部７により用紙Ｐの他方の面（裏面、第２の面）に画像が形成される。両面に画像形成がなされた用紙Ｐは、排紙部８から排出される。
【００２０】
操作表示部１０は、ＬＣＤ（Liquid Crystal Display）を有するタッチパネルディスプレイを備え、制御部１３から入力される表示信号の指示に従って表示画面上に各種設定画面や装置の状態表示、各機能の動作状況等の表示を行う。
タッチパネルディスプレイは、ＬＣＤの表示画面上を、透明電極を格子状に配置して構成された感圧式（抵抗膜圧式）のタッチパネルにて被覆して構成されており、手指やタッチペン等で押下された位置座標を電圧値にて検出し、検出した位置信号を操作信号として制御部１３に出力する。
【００２１】
かかる操作表示部１０は、例えば、片面画像形成モード、両面画像形成モード、又は両面位置合わせ調整モードの何れかのモードを設定する場合に利用される。
片面画像形成モードとは、用紙Ｐの一方の面にのみ画像を形成して出力する動作をいう。
また、両面画像形成モードとは、用紙Ｐの両面に画像を形成して出力する動作をいう。
また、両面位置合わせ調整モードとは、用紙Ｐの両面に画像を形成する際に、両面の画像形成位置を合わせるため、画像形成位置の設定を調整する動作をいう。具体的に、両面位置合わせ調整モードでは、予め定められた調整用画像データに基づく所定の画像がその両面に形成された調整用原稿Ｓを出力し、さらに、その調整用原稿Ｓを読み取って得た画像データに基づいて用紙Ｐの両面の画像形成位置のずれ量を検出し、このずれ量に基づいて画像形成位置を調整する補正値を算出する。なお、調整用原稿Ｓの詳細は後述する。
【００２２】
記憶部１１は、例えば、フラッシュメモリ、ＥＥＰＲＯＭ（Electrically Erasable Programmable Read Only Memory）等で構成され、情報の読み出し及び書き込みが可能である。
記憶部１１には、調整用原稿Ｓ作成するための調整用画像データが記憶されている。
また、記憶部１１には、後述の画像形成位置の調整処理にて算出された補正値が記憶されている。
【００２３】
外部ＩＦ部１２は、ＬＡＮ（Local Area Network）等の通信ネットワークに接続して、ＰＣ（Personal Computer）等の外部装置との間でデータ通信を行うためのインターフェースである。
【００２４】
制御部１３は、操作表示部１０又は外部ＩＦ部１２から入力される指示に応じて、画像形成装置１００の各部を統括的に制御する。
制御部１３は、ＣＰＵ（Central Processing Unit）、ＲＯＭ（Read Only Memory）、ＲＡＭ（Random Access Memory）（何れも図示せず）等を備えており、ＣＰＵは、ＲＯＭに格納されたプログラムを読み出し、ＲＡＭ内のワークエリアに展開し、プログラムとの協働によって各種処理を実行する。
具体的に、例えば、制御部１３は、両面位置合わせ調整モードにおいて、画像形成位置の調整処理を実行する。即ち、制御部１３は、調整用原稿Ｓを出力し、出力した調整用原稿Ｓの両面に形成された画像をスキャナー部１ｂに読み取らせ、読み取って得た画像データに基づいて用紙Ｐの両面の画像形成位置のずれ量を検出し、検出したずれ量に基づいて画像形成位置を調整する補正値を算出する。
【００２５】
以下、両面位置合わせ調整モードにおける画像形成位置の調整処理について、より詳細に説明する。
図３は、画像形成位置の調整処理の流れを示すフローチャートである。
【００２６】
かかる両面位置合わせ調整モードは、ユーザーが、操作表示部１０を操作して両面位置合わせ調整モードを選択することから開始される。
即ち、ユーザーが操作表示部１０を操作して両面位置合わせ調整モードを選択すると、制御部１３は、操作表示部１０からの操作信号に応じて、両面位置合わせ調整モードにモード設定（モード変更）する（ステップＳ１１）。
【００２７】
次に、制御部１３は、記憶部１１に記憶された調整用原稿Ｓ作成用の調整用画像データに基づいて、所定の種類及びサイズの用紙Ｐの両面に、所定の調整用画像を形成し、調整用原稿Ｓとして出力する（ステップＳ１２：出力工程）。
【００２８】
図４（ａ）（ｂ）は、調整用原稿Ｓの一例を示す図である。
図４（ａ）は、調整用原稿Ｓの一方の面（表面、第１の面）Ｓ１を示し、図４（ｂ）は、調整用原稿Ｓの他方の面（裏面、第２の面）Ｓ２を示す。
なお、調整用原稿Ｓは、短手方向中央部に長手方向に沿う仮想中心軸Ｌを有することとする。また、調整用原稿Ｓの長手方向の一端側を上側とし、他端側を下側とし、調整用原稿Ｓの短手方向の一端側を右側とし、他端側を左側とする。
【００２９】
図４（ａ）に示すように、調整用原稿Ｓの表面Ｓ１には、その周縁部に、基準画像として、角部が十字形状となった矩形の枠２１が形成されている。
また、調整用原稿Ｓの表面Ｓ１には、その中央部の裏面Ｓ２に形成された枠３１と重ならない位置に、第２背景画像として、黒塗りされた所定面積を有するＴ字形状の塗り部２２、２２が形成されている。
また、調整用原稿Ｓの表面Ｓ１には、その一側部の中央に、調整用原稿Ｓの向きを特定するための方向目印２４が形成されている。
【００３０】
また、図４（ｂ）に示すように、調整用原稿Ｓの裏面Ｓ２には、その周縁部に、第２基準画像として、角部が十字形状となった矩形の枠３１が形成されている。
また、調整用原稿Ｓの裏面Ｓ２には、その中央部の表面Ｓ１に形成された枠２１と重ならない位置に、背景画像として、黒塗りされた所定面積を有するＴ字形状の塗り部３２、３２が形成されている。
また、塗り部３２、３２のそれぞれの内部には、折り位置指定画像として、白抜きの２つの矩形の目印３３、３３が設けられている。なお、目印３３の形状は矩形に限定されるものではなく、これ以外にも、例えば、円形、多角形等、如何なるものであっても良い。
また、調整用原稿Ｓの裏面Ｓ２には、その一側部の中央に、調整用原稿Ｓの向きを特定するための方向目印３４が形成されている。なお、方向目印２４と方向目印３４とは、互いに重ならない位置に形成されている。また、方向目印２４と方向目印３４とは、表面Ｓ１と裏面Ｓ２とを識別するため、異なる形状とすることも好ましく、図４（ａ）（ｂ）は、表面Ｓ１の方向目印２４を、裏面Ｓ２の方向目印３４より小さく形成した例である。
【００３１】
ここで、基準画像（枠２１及び枠３１）とは、用紙Ｐにおける画像の位置（画像形成位置）を測定するための基準となる画像であり、用紙Ｐのエッジからの距離が予め初期設定されている。
また、背景画像（塗り部２２、２２及び塗り部３２、３２）とは、本実施形態における画像形成位置の調整処理において調整用原稿Ｓを折る際に、基準画像の背景とするための画像である。
また、折り位置指定画像（目印３３、３３）とは、本実施形態における画像形成位置の調整処理において調整用原稿Ｓを折る際に、その折り位置を指定するための画像である。
【００３２】
このような調整用原稿Ｓは、ユーザーにより、四隅が内側に折り込まれた状態とされる。
図５（ａ）は、調整用原稿Ｓを折り込んだ状態を示す一例である。
図５（ａ）に示すように、調整用原稿Ｓは、裏面Ｓ２の塗り部３２、３２が背景となるようにして、表面Ｓ１の角部が折り込まれる。
このとき、表面Ｓ１の角部の先端が、塗り部３２、３２の内部に設けられた目印３３、３３に入るように折ることで、折り込んだ部分が互いに重なることなく、適切な隙間Ｈを有する状態となる。
そして、このように折り込むことで、表面Ｓ１の角部のエッジが塗り部３２、３２により強調されることとなる。
【００３３】
折り込まれた調整用原稿Ｓは、折り込まれた部分が下となるようにしてスキャナー部１ｂのプラテンガラスＰＧ上に載置される。
図５（ｂ）は、プラテンガラスＰＧ上に載置された調整用原稿Ｓを下から見た状態を示す一例である。
このとき、図５（ｂ）に示すように、調整用原稿Ｓの側部（図５（ｂ）では右側部）をプラテンガラスＰＧの側部に合わせることが好ましい。
【００３４】
折り込まれた調整用原稿ＳがプラテンガラスＰＧ上に載置され、ユーザーが、操作表示部１０を操作して読取指示を行うと、制御部１３は、操作表示部１０からの操作信号に応じて、画像読取部１により調整用原稿Ｓを読み取る（ステップＳ１３：読み取り工程）。
図５（ｃ）は、読み取って得た調整用原稿Ｓの画像データを示す一例である。
調整用原稿Ｓが折り込まれた状態であるため、図５（ｃ）に示すように、表面Ｓ１の枠２１と裏面Ｓ２の塗り部３２とが同時に読み取られ、表面Ｓ１の枠２１に起因する画像データ２１Ａと、裏面Ｓ２の塗り部３２に起因する画像データ３２Ａとが、同時に存在する画像データが得られることとなる。
【００３５】
次に、制御部１３は、読み取った調整用原稿Ｓの画像データに基づいて、枠２１から用紙Ｐのエッジまでの距離ｄ１１〜ｄ１８を算出する（ステップＳ１４）。
このとき、調整用原稿Ｓの画像データは、表面Ｓ１の角部のエッジが塗り部３２、３２により強調されているため、枠２１（画像データ２１Ａ）から用紙Ｐのエッジまでの距離ｄ１１〜ｄ１８を正確に算出することができる。
なお、各距離ｄ１１〜ｄ１８は、複数の点にて算出した値の平均値として求めても良い。このようにする場合には、表面Ｓ１の角部のエッジの強調されている部分が長いほどデータ数を増やせるため、塗り部３２の面積が大きい程好ましい。
【００３６】
次に、調整用原稿Ｓは、ユーザーにより、反対面が内側となるように折り込まれた状態とされる。
図６（ａ）は、調整用原稿Ｓを反対面が内側となるように折り込んだ状態を示す一例である。
図６（ａ）に示すように、調整用原稿Ｓは、表面Ｓ１の塗り部２２、２２が背景となるようにして、裏面Ｓ２の角部が折り込まれる。
このとき、既に用紙Ｐについている折り跡に沿って折ることで、折り込んだ部分が互いに重なることなく、隙間Ｈを有する状態となる。
そして、このように折り込むことで、裏面Ｓ２の角部のエッジが塗り部２２、２２により強調されることとなる。
【００３７】
折り込まれた調整用原稿Ｓは、折り込まれた部分が下となるようにしてスキャナー部１ｂのプラテンガラスＰＧ上に載置される。
図６（ｂ）は、プラテンガラスＰＧ上に載置された調整用原稿Ｓを下から見た状態を示す一例である。
このとき、図６（ｂ）に示すように、調整用原稿Ｓは、調整用原稿Ｓの長手方向に沿う仮想中心軸Ｌを回転軸としてひっくり返された状態とされることが好ましい。即ち、調整用原稿Ｓの他側部（図６（ｂ）では左側部）をプラテンガラスＰＧの側部に合わせることが好ましい。
【００３８】
折り込まれた調整用原稿ＳがプラテンガラスＰＧ上に載置され、ユーザーが、操作表示部１０を操作して読取指示を行うと、制御部１３は、操作表示部１０からの操作信号に応じて、画像読取部１により調整用原稿Ｓを読み取る（ステップＳ１５：読み取り工程）。
図６（ｃ）は、読み取って得た調整用原稿Ｓの画像データを示す一例である。
調整用原稿Ｓが折り込まれた状態であるため、図６（ｃ）に示すように、裏面Ｓ２の枠３１と表面Ｓ１の塗り部２２とが同時に読み取られ、裏面Ｓ２の枠３１に起因する画像データ３１Ａと、表面Ｓ１の塗り部２２に起因する画像データ２２Ａとが、同時に存在する画像データが得られることとなる。
【００３９】
次に、制御部１３は、読み取った調整用原稿Ｓの画像データに基づいて、枠３１から用紙Ｐのエッジまでの距離ｄ２１〜ｄ２８を算出する（ステップＳ１６：算出工程）。
このとき、調整用原稿Ｓの画像データは、裏面Ｓ２の角部のエッジが塗り部２２、２２により強調されているため、枠３１（画像データ３１Ａ）から用紙Ｐのエッジまでの距離ｄ２１〜ｄ２８を正確に算出することができる。
ここで、枠３１から用紙Ｐのエッジまでの距離ｄ２１〜ｄ２８は、枠２１から用紙Ｐのエッジまでの距離ｄ１１〜ｄ１８と同一となるように初期設定されている。
しかしながら、例えば、表面Ｓ１に画像形成した際の作像、転写、定着工程により用紙が収縮した場合などには、裏面Ｓ２に初期設定にて画像形成すると、表裏の画像形成位置がずれることとなる。このような場合、枠３１から用紙Ｐのエッジまでの距離ｄ２１〜ｄ２８は、枠２１から用紙Ｐのエッジまでの距離ｄ１１〜ｄ１８と異なることとなる。
【００４０】
次に、制御部１３は、上記ステップＳ１４にて算出した距離ｄ１１〜ｄ１８と、上記ステップＳ１６にて算出した距離ｄ２１〜ｄ２８とを比較し、そのずれ量を検出する。そして、そのずれ量がなくなるように、表面Ｓ１及び／又は裏面Ｓ２の画像形成位置を調整する補正値を算出し、記憶部１１に記憶して、本処理を終了する。
ここで、上記処理においては、調整用原稿Ｓの読み取りの際、調整用原稿Ｓの側部をプラテンガラスＰＧの側部に合わせている。また、調整用原稿Ｓをひっくり返す際、調整用原稿Ｓの長手方向に沿う仮想中心軸Ｌを回転軸としてひっくり返している。
これにより、距離ｄ１１〜ｄ１８と、距離ｄ２１〜ｄ２８とは、それぞれ、互いにプラテンガラスＰＧ上の近接位置で読み取られたデータに基づいて算出されることとなるため、より正確な値を算出することが可能となる。
【００４１】
かかる処理により、用紙Ｐの両面の画像形成位置のずれをなくすための補正値が算出されるので、この後、両面画像形成モードにおいて画像を形成する際に、この補正値が適用されることで、両面の画像形成位置の合致した両面画像形成を実行することができることとなる。
【００４２】
以上のように、本実施形態によれば、用紙Ｐの両面に画像形成する際の画像形成位置の調整用に用いられる調整用原稿Ｓは、表面Ｓ１の周縁部に、当該表面Ｓ１における画像の位置を測定するための枠２１が形成され、裏面Ｓ２における枠２１と重ならない位置に、所定面積を有する塗り部３２が形成され、塗り部３２が背景となるように枠２１が形成された領域が折り込まれた状態で、画像読取部１により枠２１及び塗り部３２が同時に読み取られる。
このため、調整用原稿Ｓから得られた調整用原稿Ｓの画像データは、枠２１の形成された領域のエッジ部が、塗り部３２により強調されるため、枠２１からエッジまでの距離を正確に算出することができ、正確な補正値を得ることができる。
また、調整用原稿Ｓでは、折るだけで上記したように正確な補正値を得ることができるため、簡単な作業で、精度良く用紙の画像形成位置の調整を行うことが可能となる。
【００４３】
また、本実施形態によれば、裏面Ｓ２には、折り位置を指定する目印３３が形成され、目印３３で指定された位置で折ることで、枠２１が形成された領域のエッジ部が塗り部３２に重なる。
このため、折り込んだ領域が互いに重なることがなく適切な隙間Ｈを有するようにすることができる。
【００４４】
また、本実施形態によれば、折り位置を指定する目印３３は、塗り部３２の内部に設けられた白抜き部である。
このため、容易に折り位置を合わせることができ、折る作業を簡単に行うことができる。
【００４５】
また、本実施形態によれば、裏面Ｓ２の周縁部に、当該裏面Ｓ２における画像の位置を測定するための枠３１が形成され、表面Ｓ１の枠２１と重ならない位置に、所定面積を有する塗り部２２が形成され、塗り部２２が背景となるように枠３１が形成された領域が折り込まれた状態で、画像読取部１により枠３１及び塗り部２２が同時に読み取られる。
このため、表面Ｓ１及び裏面Ｓ２の両者から得た値を比較して、補正値を得ることができる。
【００４６】
なお、上記実施形態においては、調整用原稿Ｓの両面においてエッジから基準画像からまでの距離を検出し、これを比較して補正値を得る構成を例示して説明したが、調整用原稿Ｓの一面ずつエッジから基準画像までの距離を検出し、予め設定された規定値と比較する構成であっても良い。
【００４７】
また、上記実施形態における調整用原稿Ｓに形成された調整用画像は一例であって、これ以外にも様々な態様とすることが可能である。
【００４８】
例えば、図７（ａ）は、調整用原稿Ｓの表面Ｓ１において、角部に、基準画像として十字形状のマーク４１を形成し、中央部に、背景画像（第２背景画像）として、長方形状の塗り部４２を１つ形成し、折り位置指定画像として、折り線４３を形成した例である。
また、図７（ｂ）は、図７（ａ）と同一の十字形状のマーク４１及び長方形状の塗り部４２を形成し、折り位置指定画像として、角部の折り込まれる領域のエッジを合わせるための目印４３Ａを形成した例である。
なお、折り位置指定画像は、折り位置を指定できるものであれば、これ以外の如何なるものであっても良い。
【００４９】
さらに、図８に示すように、背景画像を、上下方向を識別するため、三分割された塗り部４２Ａ〜４２Ｃとすることもできる。
【００５０】
また、表面Ｓ１と裏面Ｓ２とで、基準画像及び／又は背景画像を異ならせることとしても良い。このようにすることで、表裏の区別がつきやすく、折り作業において間違いが発生するのを防止することができる。
具体的には、例えば、図９（ａ）（ｂ）に示すように、表面Ｓ１と裏面Ｓ２とで、背景画像（塗り部４２）が重ならない位置に形成することとしても良い。
また、図示は省略するが、表面Ｓ１と裏面Ｓ２とで、背景画像の形状、階調、色彩の何れかを異ならせることとしても良いし、表面Ｓ１と裏面Ｓ２とで、基準画像の形状やサイズを異ならせることとしても良い。
【００５１】
また、記憶部１１に、調整用原稿Ｓを作成するための複数の調整用画像データが記憶された構成としても良い。
この場合、後続の両面画像形成モードにおいて形成される画像の種類（例えば、写真、文字等）に応じて、両面位置合わせ調整モードにおいて用いる調整用画像データが選択される構成とすることができる。
また、過去の画像形成における塗り領域の面積の大きさ（印字率）に基づいて、調整用原稿を作成するための調整用画像データを選択する構成としても良い。即ち、記憶部１１に、過去の両面画像形成における塗り領域の面積の大きさを記憶しておき、その平均値に近い画像面積（印字率）を有する調整用画像データを選択する構成とすることができる。
また、過去の調整用画像データの使用履歴に基づいて、使用頻度の高い調整用画像データを選択する構成としても良い。
また、ユーザーが任意で調整用画像データを選択可能とすることができるのは勿論である。
【００５２】
また、上記実施形態においては、調整用原稿Ｓは四隅を折りこむこととして説明したが、これ以外にも、調整用原稿Ｓの上下端部と、左右側部を折り込んで値を算出することとしても良い。
【符号の説明】
【００５３】
１  画像読取部
１ａ  ＡＤＦ部
Ｔ  原稿トレイ
１ｂ  スキャナー部
ＰＧ  プラテンガラス
２  画像処理部
３  画像書込部
４  画像形成部
４ａ  感光体ドラム
４ｂ  転写部
５  給紙カセット
６  給紙部
７  定着部
８  排紙部
８ａ  搬送路切り替え板
９  反転部
１０  操作表示部
１１  記憶部
１２  外部ＩＦ部
１３  制御部
Ｐ  用紙
Ｓ  調整用原稿
Ｓ１  表面（第１の面）
２１  枠（基準画像）
２１Ａ  画像データ
２２  塗り部（第２背景画像）
２２Ａ  画像データ
２４  方向目印
Ｓ２  裏面（第２の面）
３１  枠（第２基準画像）
３１Ａ  画像データ
３２  塗り部（背景画像）
３２Ａ  画像データ
３３  目印（折り位置指定画像）
３４  方向目印
４１  マーク
４２  塗り部
４２Ａ-４２Ｃ  塗り部
４３  折り線（折り位置指定画像）
４３Ａ  目印（折り位置指定画像）
Ｌ  仮想中心軸
Ｈ  隙間
１００  画像形成装置
【図１】
2016024244.tif 000003
【図２】
2016024244.tif 000004
【図３】
2016024244.tif 000005
【図４】
2016024244.tif 000006
【図５】
2016024244.tif 000007
【図６】
2016024244.tif 000008
【図７】
2016024244.tif 000009
【図８】
2016024244.tif 000010
【図９】
2016024244.tif 000011